(57)【要約】【課題】遊技機用制御基板におけるコネクタの繰り返し使用を可能にしつつ、そのコネクタに対する不正行為を確実に防止する。【解決手段】遊技機の制御基板４０に対して、市販のコネクタ２０によりハーネス３０を接続する。制御基板４０の表面に実装されるプラグ２１に固定台５０を取付ける。固定台５０は、プラグ２１へのジャック２２の差し込みによりプラグ２０に固定される。固定された固定台５０に保護蓋６０を装着してコネクタ２０を覆う。保護蓋６０は、固定台５０に取外し不能に結合されると共に、破壊が可能でその破壊によってのみ固定台５０から分離される。【選択図】図９
2008080105.tif 000002
【特許請求の範囲】
【請求項１】
遊技機の制御用主基板を機内に取付けるための基板ケースであって、
前記基板ケースは、前記制御用主基板を内部に密封する上基板ケース及び下基板ケースからなり、
前記上基板ケースと前記下基板ケースは上下から嵌め込むことにより複数の爪で結合されており、
前記制御用主基板は、外部回路とハーネスにより電気的に接続され、前記ハーネスの先端部に接続されたジャック及び前記制御用主基板に実装されたプラグからなる遊技機用コネクタを保護する保護具を具備し、
前記保護具は、
前記プラグを包囲する枠体であって前記プラグに外嵌する固定台と、
前記固定台に連結固定され、前記コネクタを覆うキャップ状の保護蓋とからなり、
前記ハーネスの端部は、逆Ｕ字状に折り曲げられ、その折り曲げ頂部が前記ジャックの上方へ突出するように前記ジャックに固定されており、
前記ジャックを前記固定台が外嵌された前記プラグに押し込むと、前記固定台は前記ハーネスの前記折り曲げ頂部により抜け止め固定されると共に、この状態で前記保護蓋を前記固定台に装着することにより連結固定されること、
を特徴とする基板ケース。
【請求項２】
制御用主基板を格納する基板ケースを機内に取付けた遊技機であって、
前記基板ケースは、前記制御用主基板を内部に密封する上基板ケース及び下基板ケースからなり、
前記上基板ケースと前記下基板ケースは上下から嵌め込むことにより複数の爪で結合されており、
前記制御用主基板は、外部回路とハーネスにより電気的に接続され、前記ハーネスの先端部に接続されたジャック及び前記制御用主基板に実装されたプラグからなる遊技機用コネクタを保護する保護具を具備し、
前記保護具は、
前記プラグを包囲する枠体であって前記プラグに外嵌する固定台と、
前記固定台に連結固定され、前記コネクタを覆うキャップ状の保護蓋とからなり、
前記ハーネスの端部は、逆Ｕ字状に折り曲げられ、その折り曲げ頂部が前記ジャックの上方へ突出するように前記ジャックに固定されており、
前記ジャックを前記固定台が外嵌された前記プラグに押し込むと、前記固定台は前記ハーネスの前記折り曲げ頂部により抜け止め固定されると共に、この状態で前記保護蓋を前記固定台に装着することにより連結固定されること、
を特徴とする遊技機。
【発明の詳細な説明】
【技術分野】
【０００１】
本発明は、スロットマシン又はパチスロと呼ばれる回胴式遊技機やパチンコ機といった遊技機において、制御用の主基板を機内に安全に取付けるための基板ケース、及び当該基板ケースを機内に取付けた遊技機に関する。
【０００２】
また、本発明は、基板ケースに収められた遊技機の制御用主基板に使用されるコネクタに関し、より詳しくは、不正改造防止機能を備えた遊技機用コネクタに関する。
【背景技術】
【０００３】
近年、パチンコ機だけではなく、パチスロと称される回胴式遊技機を用いた遊技が、従来のパチンコホールやパチスロ専用ホールで盛んに行われている。これらの遊技機においては、制御用の主基板に搭載されたＲＯＭ内の情報により当選確率等が支配される。このため、制御用の主基板に対するセキュリティの確保が、機種を問わず重大な技術課題になっている。
【０００４】
例えば、この種の遊技機においては、機器内を頻繁に操作する必要から、前扉により前面が開閉されるため、機器内の制御用主基板は否が応にも人目に曝されることになる。このため、制御用主基板の改造（ＲＯＭの付け替えなど）といった不正行為が後を絶たず、これに対処するために、制御用主基板の取付け装置には、不正改造を阻止するための様々な工夫が講じられている。
【０００５】
その一例として、不正改造を阻止するための工夫を講じた典型的な基板取付け装置を図４、図５及び図１２に示す。ここに示された基板取付け装置は、遊技機のキャビネット１０の背板１１の表面に制御用の主基板２０を取付けるためのものであり、その主基板２０を収容する比較的薄型の基板ケース３０と、基板ケース３０を背板１１に固定するためのケースホルダー４０とを備えている。なお、特に誤解や混乱は生じないので、各図面に割り振った符号は統一していない。
【０００６】
基板ケース３０は、長方形の主基板２０を内部に保持する長方形の浅いケース本体３１と、ケース本体３１の正面開口部を塞ぐための長方形のカバー３２とを有しており、内部の主基板２０が見えるようにいずれも透明樹脂により形成されている。カバー３２は、基板ケース３０内に主基板２０を封入するために、下辺の係合部と上辺両側部に取付けられた複数のカシメピン３３とによりケース本体３１に封印固定される。
【０００７】
ケースホルダー４０は、ここでは基板ケース３０に対応する長方形の樹脂板からなり、キャビネット１０の背板１１の表面に固定ピン４５により取外し不能に取付けられる一方、正面側に基板ケース３０を封印固定、すなわち取外し不能に保持する。具体的には、ケースホルダー４０の下辺部に設けられた複数の突起４４と、基板ケース３０の上辺中央部に保持された複数のカシメピン３４とにより、基板ケース３０はケースホルダー４０に封印固定される。
【０００８】
基板ケース３０を封印固定し、その基板ケース３０をケースホルダー４０に封印固定した後は、これらに跨がって封印シールが貼られる。基板ケース３０とケースホルダー４０を組み合わせた同様の基板取付け装置は、例えば特許文献１にも記載されている。
【０００９】
【特許文献１】特開２００１−１７０２５５号公報
【００１０】
このような基板取付け装置によると、カシメピン３３，３４によるカシメ封印部をニッパー等の工具で破壊しない限り、基板ケース３０をケースホルダー４０から取り外すことができないし、基板ケース３０を開放することもできない。そして、カシメ封印部をニッパー等の工具で破壊した場合は、その痕跡が明確に残り、その痕跡は遊技機を前扉を開けると直ぐに見付けることができる。これに加えて、透明な基板ケース３０を通して内部の主基板２０の表面を直接監視することもできる。これらの結果として、基板ケース３０を開放して主基板２０に細工するとか、基板ケース３０ごと主基板２０を取り替えるといった不正行為は効果的に防止される。
【００１１】
ところが、不正行為の手口は年々巧妙化しており、遊技機の正面側からの不正行為だけでなく、背面側からの不正行為も考えられる。例えば、これまでの不正行為は、もっぱら遊技機の前扉を開けて正面側からだけ行われてきた。このような不正行為に対しては、上述した基板取付け装置は十分な効力を発揮することができる。しかし、遊技機の背面側からキャビネット１０の背板１１を破かれ、基板ケース３０内の主基板２０の背面に不正行為が行われた場合は、その痕跡を見付けることができない。なぜなら、これまでのセキュリティを重視した基板取付け装置も、基板ケース３０内の主基板２０の背面まで見ることは想定していないからである。
【００１２】
したがって、背面側からの不正行為を調査するために、基板ケース３０内の主基板２０の背面を見せる要請があったとしても、これに応えることもできない。
【００１３】
要するに、これまでのセキュリティを重視した基板取付け装置も、主基板２０の背面への不正行為に対しては、これを発見することも、調査することもできず、全く無力なのである。更に、カシメピンを巧妙に壊して、制御用ＲＯＭを不正改造したＲＯＭに取り替えて元に戻すというゴト行為が行なわれている。
【００１４】
また図１２に示す様に、制御用主基板に対するセキュリティ度の向上に従い、手口が異なる不正行為が横行し始めており、その一つがコネクタ２０に対する不正行為である。例えば、制御用主基板は、様々な信号授受のために幾つかのコネクタ２０を装備しており、これらのコネクタ２０及びハーネス３０を介して遊技機の操作部やドラム制御部、演出用のサブ基板等と接続される。これらのコネクタ２０は、制御用主基板が故障した場合や不良品であった場合には交換が必要なため、プラグ２１とジャック２２を分離不能に完全固定することができず、制御用主基板上の挿抜容易な場所（前述の主基板では下縁部正面）に挿抜可能なまま露出して取付けられている。このためコネクタ２０を無断で分離してプラグ２１とジャック２２の間に不正部品を介在させるなどの不正行為が横行し始めているのである。
【００１５】
要するに、制御用主基板に対しては前述したような取付け装置が開発され、セキュリティ度も高いが、コネクタ２０に対しては主基板交換のために挿抜可能なまま主基板上に取付けられているのが現状であり、不正行為に対しては無力である。コネクタ２０を分離不能の構造とすれば、不正行為は防止できるが、分離の度に新品への取り替えが必要となって、手間の上でもコストの上でも大きな負担を強いられることになる。
【発明の開示】
【発明が解決しようとする課題】
【００１６】
本発明の目的は、遊技機の機内に取付けられた制御用主基板の正面側からの不正行為は勿論のこと、その主基板の背面に対する不正行為も厳しく監視し、これを防止することができるセキュリティ度の極めて高い基板ケース、及び当該基板ケースを機内に取付けた遊技機を提供、及び基板ケースを壊さない限り制御用ＲＯＭを交換できず、且つ壊したことは一見して分かる基板ケース及び遊技機を提供することにある。
【００１７】
また、本発明の目的は、基板ケース内に格納された制御用主基板のコネクタの繰り返し使用を可能にしつつ、そのコネクタに対する不正行為を確実に防止することができる遊技機用コネクタ及び遊技機を提供することにある。
【課題を解決するための手段】
【００１８】
上記目的を達成するために、本発明の基板ケースは、遊技機の制御用主基板を機内に取付けるための基板ケースであって、前記基板ケースは、前記制御用主基板を内部に密封する上基板ケース及び下基板ケースからなり、前記上基板ケースと前記下基板ケースは上下から嵌め込むことにより複数の爪で結合されており、前記制御用主基板は、外部回路とハーネスにより電気的に接続され、前記ハーネスの先端部に接続されたジャック及び前記制御用主基板に実装されたプラグからなる遊技機用コネクタを保護する保護具を具備し、前記保護具は、前記プラグを包囲する枠体であって前記プラグに外嵌する固定台と、前記固定台に連結固定され、前記コネクタを覆うキャップ状の保護蓋とからなり、前記ハーネスの端部は、逆Ｕ字状に折り曲げられ、その折り曲げ頂部が前記ジャックの上方へ突出するように前記ジャックに固定されており、前記ジャックを前記固定台が外嵌された前記プラグに押し込むと、前記固定台は前記ハーネスの前記折り曲げ頂部により抜け止め固定されると共に、この状態で前記保護蓋を前記固定台に装着することにより連結固定されることを特徴とする。
【００１９】
本発明の遊技機は、制御用主基板を格納する基板ケースを機内に取付けた遊技機であって、前記基板ケースは、前記制御用主基板を内部に密封する上基板ケース及び下基板ケースからなり、前記上基板ケースと前記下基板ケースは上下から嵌め込むことにより複数の爪で結合されており、前記制御用主基板は、外部回路とハーネスにより電気的に接続され、前記ハーネスの先端部に接続されたジャック及び前記制御用主基板に実装されたプラグからなる遊技機用コネクタを保護する保護具を具備し、前記保護具は、前記プラグを包囲する枠体であって前記プラグに外嵌する固定台と、前記固定台に連結固定され、前記コネクタを覆うキャップ状の保護蓋とからなり、前記ハーネスの端部は、逆Ｕ字状に折り曲げられ、その折り曲げ頂部が前記ジャックの上方へ突出するように前記ジャックに固定されており、前記ジャックを前記固定台が外嵌された前記プラグに押し込むと、前記固定台は前記ハーネスの前記折り曲げ頂部により抜け止め固定されると共に、この状態で前記保護蓋を前記固定台に装着することにより連結固定されることを特徴とする。
【００２０】
本発明の基板ケースは、遊技機の制御用主基板を機内に取付けるための基板ケースであって、前記基板ケースは、前記制御用主基板を内部に密封する上基板ケース及び下基板ケースからなり、前記上基板ケースと前記下基板ケースは上下から嵌め込むことにより複数の爪で結合されていることを特徴とする。
【００２１】
また、遊技機の制御用主基板を機内に取付けるための基板取付け装置であって、前記主基板の表面及び裏面を外部から視認できるように当該主基板を内部に密封する透明の基板ケースと、該基板ケースを遊技機の機器内面に取付けるべく基板ケースとその取付け面との間に介在し、取付け面に取付けられた基板ケースを取付け面から分離することなく手前側へ傾動可能に保持する可動式のケースホルダーとを具備している。
【００２２】
本発明の基板取付け装置においては、主基板を内部に密封する透明の基板ケースが可動式のケースホルダーにより機内の取付け面に取付けられる。可動式のケースホルダーは、当該ホルダーにより取付け面に取付けられた基板ケースを、取付け面から分離することなく手前側へ傾動可能に保持する。主基板は透明の基板ケース内に封入されているので、正面から主基板の正面を見ることができるだけでなく、その基板ケースを手前側へ傾動させれば、正面側から主基板の裏面を見ることができる。
【００２３】
可動式のケースホルダーは、遊技機内のケース取付け面に固着される固定ベース部と、固定ベース部の一辺を中心にして手前側へ傾動するように固定ベース部にヒンジ結合されると共に、基板ケースの裏面側からの内部確認を阻害しないように基板ケースを封印保持する可動保持部とを組み合わせたヒンジ構造のものが、構造が簡単で好ましく、このケースホルダーを構成する部材のうちの少なくとも可動保持部は透明材料からなることが、構造簡略化、主基板の裏面視認性等の点から好ましい。
【発明の効果】
【００２４】
本発明の基板ケースは、その上基板ケースには制御用主基板を囲むリブ及び前記リブの外側に複数の貫通穴が形成されているので、完全に壊さなければ、制御用ＲＯＭを交換できない。従って、不正が行なわれたら人目で分かる。
【００２５】
本発明の基板取付け装置は、主基板を内部に密封する透明の基板ケースを可動式のケースホルダーにより手前側へ傾動可能に保持するので、必要なときはいつでも簡単に基板ケース内の主基板の裏面を目視確認することができる。このため、主基板の表面だけでなく裏面についても頻繁に監視することができ、仮に主基板の裏面に不正が行われたとしてもこれを直ちに見付けることができので、結果として裏面に対する不正行為を効果的に阻止することができる。
【００２６】
本発明の基板ケースは、制御用主基板のジャックにプラグを利用して固定される固定台と、その固定台に取外し不能に結合されると共に、破壊が可能でその破壊によってのみ固定台から分離される保護蓋からなる保護具とを備え、本来のコネクタに組み合わせることにより、制御用基板のコネクタの繰り返し使用を可能にしつつ、そのコネクタに対する不正行為を確実に防止することができ、安全性及び経済性の両方を著しく高めることができる。また、市販品のコネクタに適用でき、そのセキュリティ度を簡単に向上させることができる。
【発明を実施するための最良の形態】
【００２７】
第一実施例：
以下、本発明の実施形態を図面に基づいて詳細に説明する。図１は本発明の一実施形態を示す基板取付け装置の全体構造を示す斜視図、図２は同基板取付け装置の主要部である可動式ケースホルダーの構造を示す斜視図、図３（ａ）（ｂ）は同基板取付け装置の動作を示す縦断側面図である。
【００２８】
本実施形態の基板取付け装置は、図１及び図３に示すように、遊技機としてのパチスロの制御用主基板２０をその機器内に取付けるのに使用される。パチスロは、前面が開放した角箱形状のキャビネット１０と、キャビネット１０の前面開口部を開閉する図示されない前扉とを備えており、回胴式遊技機の主要構成部品である回転ドラム、メダル払出し装置等（いずれせ図示せず）は、このキャビネット１０内に組み込まれる。
【００２９】
当該パチスロを統括的に制御する主基板２０は、本実施形態の基板取付け装置によりキャビネット１０の背板１１の最上部正面に取付けられる。この取付けに使用される基板取付け装置は、横に長い長方形の主基板２０を収容する基板ケース３０と、基板ケース３０を背板１１の所定部に取付けるための可動式のケースホルダー４０とを備えている。
【００３０】
基板ケース３０は、図４及び図５に示した従来の基板取付け装置に使用されているものと基本的に同じであって、主基板２０を内部に保持する横に長い長方形のケース本体３１と、ケース本体３１の正面開口部を塞ぐための横に長い長方形のカバー３２とを有している。ケース本体３１及びカバー３２は、内部の主基板２０の表面及び裏面が外部から良く見えるように、いずれも透明樹脂により形成されている。
【００３１】
基板ケース３０のカバー３２は、基板ケース３０内に主基板２０を封入するために、ケース本体３１の下辺部と係合する係合部を下辺部に有し、上辺両側部には、押し込み可能に保持された複数のカシメピン３３を装備している。カバー３２の下辺部をケース本体３１と係合させてカバー３２をケース本体３１の正面側に被せ、ケース本体３１の上辺両側部に設けられた複数の固定孔に複数のカシメピン３３を押し込むことにより、カバー３２はケース本体３１に封印固定され、基板ケース３０内に主基板２０を封入する。
【００３２】
可動式のケースホルダー４０は、本実施形態の基板取付け装置における主要部であり、基板取付け部である背板１１の最上部正面に取付けられることにより、同部に基板ケース３０を傾動可能に支持する。このケースホルダー４０はヒンジ構造であり、背板１１の所定部に固着される固定ベース部４０Ａと、基板ケース３０を正面側に封印固定する可動保持部４０Ｂとを下辺部で回動可能にヒンジ結合した構造になっている。これにより、可動保持部４０Ｂは下辺のヒンジ部４１を中心として手前側へ傾動することが可能である。
【００３３】
ヒンジ部４１は不正行為を防止するために、破壊する以外は分解できず、しかもその破壊の痕跡が明確に残る構造になっている。
【００３４】
固定ベース部４０Ａは、基板ケース３０に対応する長方形の樹脂板からなり、背板１１の所定部に複数の固定ピン４５により取外し不能に取付けられる。固定ベース部４０Ａの下辺のヒンジ部４１を除く３辺には、可動保持部４０Ｂを収容するために枠状の凸部４２が設けられている。
【００３５】
可動保持部４０Ｂは、固定ベース部４０Ａの正面側に重なり合う長方形の樹脂板からなる。この可動保持部４０Ｂは、樹脂板の正面側に基板ケース３０を封印固定するが、その固定構造は、図４及び図５に示した従来の基板取付け装置の基板ケース３０及びケースホルダー４０に採用されているものと実質的に同じである。
【００３６】
すなわち、可動保持部４０Ｂの４辺部には、内側に基板ケース３０が嵌合するように角枠状の凸部４３が設けられている。凸部４３の下辺部には、基板ケース３０の下辺部を係止するために、上方へ突出した複数の突起４４が設けられている。凸部４３の上辺部には、基板ケース３０の上辺中央部に保持された複数のカシメピン３４が係合する固定部４６が、凸部４３の下側に位置して設けられている。そして、基板ケース３０を可動保持部４０Ｂの正面側に重ねて、基板ケース３０の下辺部を複数の突起４４で係止し、基板ケース３０の上辺部に保持された複数のカシメピン３４を固定部４６に押し込むことにより、基板ケース３０は可動保持部４０Ｂの正面側に封印固定される。
【００３７】
基板ケース３０が正面側に封印固定された状態で、可動保持部４０Ｂは固定ベース部４０Ａの正面側に重なり合った使用状態に保持される。また、この使用状態から下辺のヒンジ部４１を中心にして正面側へほぼ９０度、或いはそれ以上傾動して下へ開くことができる。可動保持部４０Ｂが下へ開いた状態は、その裏面を正面側から目視できる検査状態であり、この状態で当該可動保持部４０Ｂを通して基板ケース３０内の主基板２０の裏面を目視できるように、可動保持部４０Ｂは固定ベース部４０Ａと共に透明樹脂により形成されている。
【００３８】
次に、本実施形態の基板取付け装置の機能について説明する。
【００３９】
本実施形態の基板取付け装置においては、制御用の主基板２０を内部に封印固定した基板ケース３０が、ケースホルダー４０によりキャビネット１０の背板１１の最上部表面に取付けられる。ここで、ケースホルダー４０は背板１１の所定位置に固着される固定ベース部４０Ａと、これにヒンジ結合された可動保持部４０Ｂとからなり、基板ケース３０は可動保持部４０Ｂの正面側に封印固定される。封印シールは、基板ケース３０から可動保持部４０Ｂにかけて貼り着けられる。
【００４０】
通常は、ケースホルダー４０の可動保持部４０Ｂは、固定ベース部４０Ａの正面側に重ね合わされた使用状態に保持される。これにより、主基板２０は機器内の定位置に背板１１に沿って垂直姿勢に保持固定される。ここで、基板ケース３０は透明樹脂からなるので、可動保持部４０Ｂが使用状態のときは、基板ケース３０の正面部である透明カバー３２を通して基板ケース３０内の主基板２０の表面を直接目視することができる。また、基板ケース３０のカシメ封印部や封印シールの状態も直接目視することができる。ただし、主基板２０の裏面を見ることはできない。
【００４１】
主基板２０の裏面を見たいときは、ケースホルダー４０の可動保持部４０Ｂを手前側（正面側）へ傾動させる。すなわち、可動保持部４０Ｂを下へ開く。これにより、可動保持部４０Ｂが上下反転して裏返り、その裏面が目視可能な検査状態となる。ここで、可動保持部４０Ｂは基板ケース３０と共に透明樹脂により形成されている。このため、可動保持部４０Ｂ及び基板ケース３０の背面部であるケース本体３１を通して、基板ケース３０内の主基板２０の裏面を正面側から直接目視することが可能となる。これにより、もし仮に主基板２０の裏面に不正が行われていたときは、その不正を直ちに見付けることができる。また、主基板２０の裏面を検査する要請があった場合は、その要請に即座に応えることができる。
【００４２】
ケースホルダー４０の可動保持部４０Ｂは、正面側へ傾動させることはできるが、固定ベース部４０Ａから分離することはできない。このため主基板２０を基板ケース３０及び可動保持部４０Ｂごと取り替えるような不正も防止することができる。また、可動保持部４０Ｂを正面側へ傾動させることにより、固定ベース部４０Ａが露出し、固定ベース部４０Ａの取付け状態も随時検査確認することができる。
【００４３】
上記実施形態は、ケースホルダー４０のヒンジ部４１が下辺部に設けられた所謂下ヒンジ構造を採用しているが、そのヒンジ部を左右いずれかの側辺部に設けて、可動保持部４０Ｂを横に開く構造とすることもでき、更には上辺部に設けた上ヒンジ構造として、可動保持部４０Ｂを上に開くこともできる。
【００４４】
主基板２０及び基板取付け装置の取付け位置についても、上記実施形態に限るものではなく、機種に応じた箇所を任意に選択することができる。
【００４５】
第二実施例：
図６〜図８は、本発明に係る基板ケースの斜視図である。
【００４６】
基板ケース３０は、遊技機の制御用の主基板２０を内部に保持する横に長い長方形のケース本体３１（下基板ケース）と、ケース本体３１の正面開口部を塞ぐための横に長い長方形のカバー３２（上基板ケース）とを有している。
【００４７】
基板ケース３０は、カバー３２とケース本体３１とを上下から嵌め込むことにより、ケース本体３１の４辺に突起状に形成された複数の爪３１ａとカバー３２の４辺内側（後述する外枠３２ｂの内側）に形成された複数の対応する凹状の爪穴３２ａが結合されるので、この状態では破壊しない限り取り外すことができなくなる。
【００４８】
カバー３２は、断面が略コの字型の箱型形状（いわゆる弁当箱の上蓋状）で外周を取り巻く外枠３２ｂがあり、その内側にリブ３２ｃが形成されている。
【００４９】
このリブ３２ｃは、取り付けられる主基板２０の全周を取り囲む様に形成されており、リブ３２ｃと外枠３２ｂの間には、複数の貫通穴３２ｄが形成されている。このリブが３２ｃあることによって、複数の貫通穴３２ｄから主基板２０を触れることができないので、改造することが不可能になる。
【００５０】
このケース本体３１とカバー３２が嵌め込まれた状態で、貫通穴３２ｄと貫通穴３２ｄとの間の切断部３２ｅを全てニッパ等でカットすることにより、初めて天板部３２ｆが切断され、爪３２ａと爪穴３１ａが外れるので、主基板２０を取り出すことが可能になる。従って、不正が行なわれたら人目で分かるので、結果として、主基板２０に対する不正行為を効果的に阻止することができる。
【００５１】
第三実施例：
図９は本発明の一実施形態を示す遊技機用コネクタの３面図、図１０は同コネクタの組立手順の説明図、図１１は同コネクタの分解手順の説明図である。
【００５２】
本実施形態の遊技機用コネクタは、図９及び図１０に示すように、遊技機としてのパチスロの制御用主基板４０に使用される。制御用主基板４０は、図１２に示した基板ケースと同様に、当該主基板に対する不正行為を防ぐために、基板ケース１０内に封入されている。この基板ケース１０は、遊技機キャビネットの背板の表面に取付けられたケースホルダー表面に固定ピンにより取外し不能に取付けられる。
【００５３】
この基板ケース１０は、長方形の主基板４０を正面に保持する長方形の取付けベース１１と、取付けベース１１に保持された主基板４０を覆うべくベース１１に取付けられる長方形のカバー１２とを有している。ベース１１及びカバー１２は、内部の主基板が見えるようにいずれも透明樹脂により形成されている。カバー１２は、基板ケース１０内に主基板を封入するために、下辺の係合部と上辺両側部に取付けられた複数のカシメピンとによりベース１１に封印固定される。そして、この基板ケース１０は、ケースホルダーの下辺部に設けられた複数の突起と、基板ケース１０の上辺中央部に保持された複数のカシメピンとにより、前述したケースホルダーに固定される。
【００５４】
制御用主基板４０は、外部回路との電気的接続のために、複数のコネクタ２０を下縁部正面に有している。各コネクタ２０は市販品（ＫＥＬ８８２５シリーズ）であり、主基板の表面に実装されるプラグ２１と、これに差し込まれるジャック２２とからなる。プラグ２１は横に長い長方形の樹脂ブロックであり、ジャック２２を受け入れるために、基板ケース１０のカバー１２に設けられた横長の開口部１５からカバー１２の正面側に突出している。
【００５５】
レセクタプルと呼ばれるジャック２２は、プラグ２１に対応する横に長い長方形の樹脂ブロックであって、ベルト状のハーネス３０の先端部に接続されており、プラグ２１に挿入されてプラグ２１と電気的に接続される。ジャック２２の不用意な脱離を防止するために、ジャック２２は回動式の固定爪２３，２３を両側部に装備している。両側の固定爪２３，２３は、垂直な回動支点の先端側に爪部２４，２４、手前側に操作部２５，２５をそれぞれ有しており、ジャック２２が未挿入の状態で操作部２５，２５が内側へ押し込まれ、爪部２４，２４が外側へ開く。この状態からジャック２２をプラグ２１に押し込むと、先端側の爪部２４，２４が内側へ閉じ、手前側の操作部２５，２５が外側へ開く。先端側の爪部２４，２４が内側へ閉じることにより、ジャック２２はプラグ２１に脱離不能に固定される。この状態で手前側の操作部２５，２５を内側へ押し込むと、先端側の爪部２４，２４が外側へ開いてプラグ２１から外れ、ジャック２２はプラグ２１から離脱可能となる。
【００５６】
このようなコネクタ２０は、不正行為防止のために、当該コネクタ２０に固定される固定台５０と、固定台５０に取付けられる保護蓋６０と組み合わされる。固定台５０及び保護蓋６０は、内部のコネクタ２０の状態を外部から視認できるように、透明な樹脂により構成されている。
【００５７】
固定台５０は、プラグ２１を包囲する長方形の枠体である。この固定台５０はプラグ２１に嵌合する長方形の本体部５１と、本体部５１の後部を包囲するべくその外側に一体的に設けられた角枠状の保護部５２とを有している。本体部５１の後部外面、特に上面の両側部及び下面の両側部には、保護蓋６０を係止するための突起５３がそれぞれ設けられている。保護部５２は、下側の中央部を残して本体部５１の後部を包囲しており、本体部５１とは後端部で一体化されている。下側の中央部を開放部としているのは、ハーネス３０を外部へ引き出すための開口部を形成するためである。
【００５８】
この固定台５０はコネクタ２０のプラグ２１に外嵌し、この状態でプラグ２１にジャック２２を装着することにより、コネクタ２０に固定される。具体的には、プラグ２１に差し込まれたジャック２２、特にジャック２２に接続されたハーネス３０により主に抜け止めされる。具体的に説明すると、ハーネス３０の端部は逆Ｕ字状に折り曲げてジャック２２に固定されており、先端部がジャック２２の下方へ、また折り曲げ頂部３１がジャック２２の上方へ各突出している。プラグ２１に外嵌された固定台５０は、そのプラグ２１に装着されたジャック２２、特にそのジャック２２から上方へ突出するハーネス３０の折り曲げ頂部３１により主に抜け止めされ、コネクタ２０に固定される。また、両側の固定爪２３，２３の外側に開いた操作部２５，２５や、ジャック２２から下方へ突出するハーネス３０の先端部も固定台５０の抜け止めに寄与する。
【００５９】
保護蓋６０は、長方形の固定台５０に連結固定されてコネクタ２０を覆う横に長い長方形のキャップ状樹脂体である。保護蓋６０の後部外面、特に上面の両側部及び下面の両側部には、固定台５０の突起５３が嵌合する複数の開口部６１が設けられている。保護蓋６０の下面側の後部には、両側部を残して横に長い切欠き部が設けられている。切欠き部６２は、固定台５０の開放部と共同して、ハーネス３０を外部へ引き出すための開口部を形成する。
【００６０】
保護蓋６０の中央部には、線状の膨出部６３が受けられている。線状の膨出部６３は、断面が外に凸の半円形をした湾曲部であって、保護蓋６０の上面部、正面部及び下面部に保護蓋５０の左右を２分するように設けられている。この膨出部６３はニッパー等で容易に切除することができる。この切除により、保護蓋６０は左右に２分割される。保護蓋６０の正面部には、両側一対のストッパー６４，６４が設けられている。ストッパー６４，６４は、正面部の裏面から裏側へ突出した棒体であり、保護蓋６０を固定台５０へ装着した状態で、ジャック２２の両側の固定爪２３，２３の外側へ開いた操作部２５，２５の内側に位置して、操作部２５，２５が内側へ移動するのを阻止する。これにより、ジャック２２はプラグ２１に固定された状態を維持する。
【００６１】
次に、本実施形態の遊技機用コネクタの使用方法及び機能について説明する。
【００６２】
コネクタ２０を接続する場合は、図１０（ａ）（ｂ）に示すように、制御用主基板４０の表面に実装されて基板ケース１０の正面側へ露出するコネクタ２０のプラグ２１に角枠状の固定台５０を外嵌装着する。次いで、そのプラグ２１に、ハーネス３０の先端部に接続されたジャック２２を差し込む。差し込まれたジャック２２は両側の固定爪２３，２３によりプラグ２１に脱離不能に固定される。具体的には、両側の固定爪２３，２３が先広がりの解放状態から先すぼまりのロック状態に回動し、先端側の爪部２４，２４がプラグ２１に係合する。これに伴って、手前側の操作部２５，２５は外側に広がる。プラグ２１に固定されたジャック２２のハーネス３０の突出部、及び両側の操作部２５，２５により、固定台５０はプラグ２０に対して抜け止めされ固定される。
【００６３】
プラグ２１へのジャック２２の挿入、及び固定台５０の固定が終わると、図１０（ｃ）（ｄ）に示すように、固定された固定台５０に角キャップ状の保護蓋６０を押し込み固定する。保護蓋６０の後部が固定台５０の本体部５１と保護部５２との間に差し込まれ、固定台５０の４つの突起５３が保護蓋６０の４つの開口部６１に嵌合することにより、保護蓋６０は固定台５０に脱離不能に固定される。ジャック２０の固定爪２３，２３の操作部２５，２５の内側にストッパー６４，６４が存在するため、固定爪２３，２３が解放方向へ動作する危険もない。特に、保護蓋６０の側面に孔を開けてジャック２２を外す（固定爪２３の操作部２５を内側へ押す）ような不正行為が試みられても、固定爪２３は回動しないので、このような不正行為を防止できる。
【００６４】
ハーネス３０はプラグ２２から、固定台５０と保護蓋６０の間を経て下側へ引き出される。
【００６５】
固定台５０に固定された保護蓋６０は、破壊しない限り固定台５０から脱離しない。もし仮に、保護蓋６０が破壊されて内部のコネクタ２０に不正行為が行われた場合、その保護蓋６０を再装着しても保護蓋６０に破壊の痕跡が明確に残るので、不正行為が一目で分かる。固定台５０及び保護蓋６０は共に透明樹脂からなり、内部を視認できるので、内部のコネクタ２０の状態を外部から監視できる。固定台５０及び保護蓋６０の上下反転使用が可能なことは前述したとおりである。
【００６６】
基板ケース１０内の制御用主基板４０が不良品であったり故障を生じた場合は、制御用主基板４０を交換しなければならない。そのときは、コネクタ２０のプラグ２１からジャック２２を意図的に引き抜く必要がある。この場合は、図１１（ａ）に示すように、保護蓋６０の中央部（上面、正面、下面）に設けられた線状の膨出部６３をニッパー等の工具で切除する。これにより、保護蓋６０は左右に２分割される。左右に２分割されれば、図１１（ｂ）（ｃ）に示すように、分割部にドライバー等の工具を差し込み、保護蓋６０を半分ずつこじ開け、固定台５０から分離する。このように、保護蓋６０は、膨出部６３の切除により、比較的簡単に破壊され、固定台５０から除去することができる。
【００６７】
保護蓋６０が除去されると、通常の操作によりコネクタ２０のジャック２２をプラグ２１が引き抜く。すなわち、両側の固定爪２３，２３をロック状態から解放状態へ操作し、ジャック２２を手前へ引き抜く。保護蓋６０が除去されていれば、ストッパー６４，６４による阻止がないので、固定爪２３，２３はスムーズに操作れれる。これにより、市販品であるコネクタ２０を傷つけることなく分離することができる。制御用主基板４０の交換後はそのプラグ２１にジャック２２を再度差し込む。
【００６８】
本発明の遊技機用コネクタは、制御用主基板４０の全てのコネクタに実施する必要はなく、回動式遊技機の場合は、少なくとも内部抽選やドラム停止、メダル投入等、図柄変動表示ゲームの主体に係わる信号の授受に使用されるコネクタに実施すればよい。換言すれば不正行為が行われる危険のあるコネクタに実施すればよいといことであり、サブ基板との接続コネクタなど、不正行為が意味をなさず、その行為の危険がないコネクタにまで実施する必要はないということである。
【００６９】
本発明の遊技機用コネクタは又、上記実施形態では制御用主基板４０に使用されているが、これに限定するもではなく、サブ基板や操作部用基板などの他の制御用基板に使用することも可能である。
【図面の簡単な説明】
【００７０】
【図１】本発明の一実施形態を示す基板取付け装置の全体構造を示す斜視図である。
【図２】同基板取付け装置の主要部である可動式ケースホルダーの構造を示す斜視図である。
【図３】同基板取付け装置の動作を示す縦断側面図で、（ａ）は使用状態（閉止状態）、（ｂ）は検査状態（開放状態）をそれぞれ示す。回胴式遊技機の正面図である。
【図４】従来の基板取付け装置の全体構造を示す斜視図である。
【図５】同基板取付け装置の縦断側面図で、（ａ）は基板ケースを取付ける前の状態、（ｂ）は基板ケースを取付けた後の状態をそれぞれ示す。
【図６】本発明に係る基板ケースの斜視図である。
【図７】本発明に係る基板ケースの斜視図である。
【図８】本発明に係る基板ケースの斜視図である。
【図９】本発明の一実施形態を示す遊技機用コネクタの構造説明図で、（ａ）はコネクタ周辺の正面図、（ｂ）は図ａ中のＡ−Ａ線断面矢示図、（ｃ）は図ａ中のＢ−Ｂ線断面矢示図である。
【図１０】（ａ）（ｂ）（ｃ）及び（ｄ）は同コネクタの組立手順を段階的に示す斜視図である。
【図１１】（ａ）（ｂ）及び（ｃ）は同コネクタの組立手順を段階的に示す斜視図である。
【図１２】従来の遊技機用コネクタの構造説明図で、（ａ）は同コネクタを使用した制御用主基板の斜視図で基板ケースに収容された状態を示し、（ｂ）（ｃ）は同コネクタの組立手順を段階的に示す斜視図である。
【符号の説明】
【００７１】
（図１〜図８において）
１０  キャビネット
１１  背板
２０  主基板
３０  基板ケース
３１  ケース本体
３２  カバー
３３，３４  カシメピン
４０  ケースホルダー
４０Ａ  固定ベース部
４０Ｂ  可動保持部
４１  ヒンジ部
４４  固定部
４５  固定ピン
（図９〜図１２において）
１０  基板ケース
１１  ベース
１２  カバー
２０  コネクタ
２１  プラグ
２２  ジャック
２３  固定爪
３０  ハーネス
３１  折り曲げ頂部
４０  制御用主基板
５０  固定台
６０  保護蓋
６３  切断分離用の膨出部
６４  ストッパー
【図１】
2008080105.tif 000003
【図２】
2008080105.tif 000004
【図３】
2008080105.tif 000005
【図４】
2008080105.tif 000006
【図５】
2008080105.tif 000007
【図１０】
2008080105.tif 000008
【図１１】
2008080105.tif 000009
【図１２】
2008080105.tif 000010
【図６】
2008080105.tif 000011
【図７】
2008080105.tif 000012
【図８】
2008080105.tif 000013
【図９】
2008080105.tif 000014
【手続補正書】
【提出日】平成19年10月10日(2007.10.10)
【手続補正１】
【補正対象書類名】特許請求の範囲
【補正対象項目名】全文
【補正方法】変更
【補正の内容】
【特許請求の範囲】
【請求項１】
遊技機の制御用主基板を機内に取付けるための基板ケースであって、
前記基板ケースは、前記制御用主基板を内部に密封する上基板ケース及び下基板ケースからなり、
前記上基板ケースと前記下基板ケースは上下から嵌め込むことにより複数の爪で結合されており、
前記上基板ケースは、断面が略コの字型の箱型形状で外周を取り巻く外枠があり、前記外枠の内側にリブが形成され、
前記リブは、前記制御用主基板の全周を取り囲む様に形成され、
前記リブと前記外枠との間には複数の貫通穴が形成されており、
前記制御用主基板は、外部回路とハーネスにより電気的に接続され、前記ハーネスの先端部に接続されたジャック及び前記制御用主基板に実装されたプラグからなる遊技機用コネクタと、
前記遊技機用コネクタを保護する保護具を具備し、
前記保護具は、
前記プラグを包囲する枠体であって前記プラグに外嵌する固定台と、
前記固定台に連結固定され、前記コネクタを覆うキャップ状の保護蓋とからなり、
前記ハーネスの端部は、逆Ｕ字状に折り曲げられ、その折り曲げ頂部が、横にした状態の前記ジャックの上方へ突出するように前記ジャックに固定されており、
前記ジャックを前記固定台が外嵌された前記プラグに押し込むと、前記固定台は前記ハーネスの前記折り曲げ頂部により抜け止め固定されると共に、この状態で前記保護蓋を前記固定台に装着することにより連結固定されること、
を特徴とする基板ケース。
【請求項２】
制御用主基板を格納する基板ケースを機内に取付けた遊技機であって、
前記基板ケースは、前記制御用主基板を内部に密封する上基板ケース及び下基板ケースからなり、
前記上基板ケースと前記下基板ケースは上下から嵌め込むことにより複数の爪で結合されており、
前記上基板ケースは、断面が略コの字型の箱型形状で外周を取り巻く外枠があり、前記外枠の内側にリブが形成され、
前記リブは、前記制御用主基板の全周を取り囲む様に形成され、
前記リブと前記外枠との間には複数の貫通穴が形成されており、
前記制御用主基板は、外部回路とハーネスにより電気的に接続され、前記ハーネスの先端部に接続されたジャック及び前記制御用主基板に実装されたプラグからなる遊技機用コネクタと、
前記遊技機用コネクタを保護する保護具を具備し、
前記保護具は、
前記プラグを包囲する枠体であって前記プラグに外嵌する固定台と、
前記固定台に連結固定され、前記コネクタを覆うキャップ状の保護蓋とからなり、
前記ハーネスの端部は、逆Ｕ字状に折り曲げられ、その折り曲げ頂部が、横にした状態の前記ジャックの上方へ突出するように前記ジャックに固定されており、
前記ジャックを前記固定台が外嵌された前記プラグに押し込むと、前記固定台は前記ハーネスの前記折り曲げ頂部により抜け止め固定されると共に、この状態で前記保護蓋を前記固定台に装着することにより連結固定されること、
を特徴とする遊技機。
【手続補正２】
【補正対象書類名】明細書
【補正対象項目名】００１８
【補正方法】変更
【補正の内容】
【００１８】
上記目的を達成するために、本発明の基板ケースは、遊技機の制御用主基板を機内に取付けるための基板ケースであって、前記基板ケースは、前記制御用主基板を内部に密封する上基板ケース及び下基板ケースからなり、前記上基板ケースと前記下基板ケースは上下から嵌め込むことにより複数の爪で結合されており、前記上基板ケースは、断面が略コの字型の箱型形状で外周を取り巻く外枠があり、前記外枠の内側にリブが形成され、前記リブは、前記制御用主基板の全周を取り囲む様に形成され、前記リブと前記外枠との間には複数の貫通穴が形成されており、前記制御用主基板は、外部回路とハーネスにより電気的に接続され、前記ハーネスの先端部に接続されたジャック及び前記制御用主基板に実装されたプラグからなる遊技機用コネクタと、前記遊技機用コネクタを保護する保護具を具備し、前記保護具は、前記プラグを包囲する枠体であって前記プラグに外嵌する固定台と、
前記固定台に連結固定され、前記コネクタを覆うキャップ状の保護蓋とからなり、前記ハーネスの端部は、逆Ｕ字状に折り曲げられ、その折り曲げ頂部が、横にした状態の前記ジャックの上方へ突出するように前記ジャックに固定されており、前記ジャックを前記固定台が外嵌された前記プラグに押し込むと、前記固定台は前記ハーネスの前記折り曲げ頂部により抜け止め固定されると共に、この状態で前記保護蓋を前記固定台に装着することにより連結固定されることを特徴とする。
【手続補正３】
【補正対象書類名】明細書
【補正対象項目名】００１９
【補正方法】変更
【補正の内容】
【００１９】
本発明の遊技機は、制御用主基板を格納する基板ケースを機内に取付けた遊技機であって、前記基板ケースは、前記制御用主基板を内部に密封する上基板ケース及び下基板ケースからなり、前記上基板ケースと前記下基板ケースは上下から嵌め込むことにより複数の爪で結合されており、前記上基板ケースは、断面が略コの字型の箱型形状で外周を取り巻く外枠があり、前記外枠の内側にリブが形成され、前記リブは、前記制御用主基板の全周を取り囲む様に形成され、前記リブと前記外枠との間には複数の貫通穴が形成されており、前記制御用主基板は、外部回路とハーネスにより電気的に接続され、前記ハーネスの先端部に接続されたジャック及び前記制御用主基板に実装されたプラグからなる遊技機用コネクタと、前記遊技機用コネクタを保護する保護具を具備し、前記保護具は、前記プラグを包囲する枠体であって前記プラグに外嵌する固定台と、前記固定台に連結固定され、前記コネクタを覆うキャップ状の保護蓋とからなり、前記ハーネスの端部は、逆Ｕ字状に折り曲げられ、その折り曲げ頂部が、横にした状態の前記ジャックの上方へ突出するように前記ジャックに固定されており、前記ジャックを前記固定台が外嵌された前記プラグに押し込むと、前記固定台は前記ハーネスの前記折り曲げ頂部により抜け止め固定されると共に、この状態で前記保護蓋を前記固定台に装着することにより連結固定されることを特徴とする。